(57)【要約】【課題】幼い子どもや電子機器の操作に苦手意識を持つ高齢者ならびに電子機器そのものが苦手と思っている人々が、特別な操作を行わなくても、利用者が望むコンテンツを自動的に検索・表示するシステムを構築する。【解決手段】コンテンツ検索・表示システムに、誰もが気軽に利用できるインターフェース装置を備えることであり、誰もが日常使っている物をそのままインターフェース装置とすることである。本発明の一実施形態によるシステムは、誰でもどうすればコンテンツを見ることができるか知っている物として本をインターフェース装置として備えている。本発明によるコンテンツ検索・表示システムは、本の各ページに非接触ＩＣタグを埋め込み、ＩＣタグリーダと組み合わせることにより、利用者が本のページを開くだけで、自動的にコンテンツが検索され、パソコンのディスプレイやテレビ、モニターなどの映像音声入力手段を有する機器に出力される。【選択図】図１
2006338640.tif 000002
【特許請求の範囲】
【請求項１】
簡単な操作で動作するコンテンツ検索・表示システムであって、利用者が日常使っている物そのまま又は類する形態を備えたインターフェース装置と、前記インターフェース装置のデータを読み取るインターフェース装置データ読み取り手段と、読み取ったインターフェース装置データを解析・判別するインターフェース装置データ判別手段と、インターフェース装置の識別情報を記憶し管理するインターフェース装置管理手段と、コンテンツを記憶し管理するコンテンツ管理手段と、前記データ判別手段により判別したデータに基づき、前記コンテンツ管理手段より最適のコンテンツを検索するコンテンツ検索手段と、前記コンテンツ検索手段により検索されたコンテンツを出力するコンテンツ作成出力手段と、を備えることを特徴とするコンテンツ検索・表示システム。
【請求項２】
簡単な操作で動作するコンテンツ検索・表示システムであって、利用者が日常使っている物そのまま又は類する形態を備えたインターフェース装置と、前記インターフェース装置のデータを読み取るインターフェース装置データ読み取り手段と、読み取ったインターフェース装置データを解析・判別するインターフェース装置データ判別手段と、インターフェース装置の識別情報を記憶し管理するインターフェース装置管理手段と、コンテンツを記憶し管理するコンテンツ管理手段と、前記データ判別手段により判別したデータに基づき、前記コンテンツ管理手段より最適のコンテンツを検索するコンテンツ検索手段と、前記コンテンツ検索手段により検索されたコンテンツを出力するコンテンツ作成出力手段と、の内２つ以上の手段を組み合わせた手段を備えることを特徴とするコンテンツ検索・表示システム。
【請求項３】
請求項１または２記載のコンテンツ検索・出力システムであって、前記インターフェース装置が、表紙と裏表紙をふくむ全てのページごとに、または表紙と裏表紙の一方もしくは両方を除く全てのページごとに、非接触ＩＣタグが埋め込まれた本または紙などを綴じて複数のページを持つ形態である本に類するもの（以下の請求項では、本とだけ記述する）、であることを特徴とするコンテンツ検索・表示システム。
【請求項４】
請求項１から３記載のいずれかに記載のコンテンツ検索・出力システムであって、インターフェース装置データ読み取り手段が、ＩＣタグリーダが取り付けられていてＵＳＢやシリアルケーブルなどのケーブルまたは赤外線や様々な規格の無線などで、パソコンまたはゲーム機または携帯電話などの演算装置を備えた電子機器と通信が可能な読取装置であることを特徴とするコンテンツ検索・表示システム。
【請求項５】
請求項１から４のいずれかに記載のコンテンツ検索・出力システムであって、インターフェース装置管理手段が、前記インターフェース装置である本の内容を一意に特定可能な識別データ（例えば、本のタイトルなど）と、本の総ページ数または各ページに埋め込まれたＩＣタグの総数または各ページのインデックスなどの情報と、を備えることを特徴とするコンテンツ検索・表示システム。
【請求項６】
請求項１から５のいずれかに記載のコンテンツ検索・出力システムであって、前記インターフェース装置データ判別手段が、前記インターフェース装置データ読み取り手段におけるＩＣタグリーダが読み取った非接触ＩＣタグの枚数または非接触ＩＣタグに記録済みのデータと、請求項５記載のインターフェース装置管理手段が備える情報と、に基づいて、前記インターフェース装置としての本の開かれているページ、または本の種類および開かれているページを、判別するコンピュータプログラムを備えることを特徴とするコンテンツ検索・表示システム。
【請求項７】
請求項１から６のいずれかに記載のコンテンツ検索・出力システムであって、前記コンテンツ管理手段が、記憶し管理するコンテンツを一意に特定可能な識別情報、を備えることを特徴とするコンテンツ検索・表示システム。
【請求項８】
請求項１から７のいずれかに記載のコンテンツ検索・出力システムであって、前記コンテンツ検索手段が、前記インターフェース装置データ判別手段による判別結果と前記コンテンツ管理手段の識別情報に基づき、パソコンに保存されているコンテンツまたはＣＤやＤＶＤなどの記録メディアに保存されているコンテンツ、またはインターネットのサーバーなどに保存されているコンテンツ、などから最適のコンテンツを検索するコンピュータプログラムを備えることを特徴とするコンテンツ検索・表示システム。
【請求項９】
請求項１から８のいずれかに記載のコンテンツ検索・出力システムであって、前記コンテンツ作成出力手段が、前記コンテンツ検索手段によって検索されたコンテンツを、パソコンのディスプレイやテレビ、モニターなどの映像音声入力手段を有する機器に出力し該当コンテンツを提供するコンピュータプログラムを備えることを特徴とするコンテンツ検索・表示システム。
【請求項１０】
請求項１から３のいずれかに記載のインターフェース装置において、さらに本の内容をあらわすデータ（例えば、タイトルなど）を記録した非接触ＩＣタグを備えていることを特徴とするコンテンツ検索・表示システム。
【請求項１１】
請求項１から１０のいずれかに記載のコンテンツ検索・出力システムであって、インターフェース装置データ読み取り手段として、ＩＣタグリーダを１台利用することを特徴とするコンテンツ検索・表示システム。
【請求項１２】
請求項１から１１のいずれかに記載のコンテンツ検索・出力システムであって、インターフェース装置データ読み取り手段として、ＩＣタグリーダを２台利用することを特徴とするコンテンツ検索・表示システム。
【請求項１３】
請求項１から１２のいずれかに記載のコンテンツ検索・出力システムであって、前記インターフェース装置データ判別手段が、２台のＩＣタグリーダそれぞれが受信したＩＣタグの枚数またはＩＣタグに記録済みのデータの比較分析した結果と、請求項５記載のインターフェース装置管理手段が備える情報と、に基づき、本のどのページが開かれているかを判別するコンピュータプログラムを備えることを特徴とするコンテンツ検索・表示システム。
【請求項１４】
請求項１から１３のいずれかに記載のコンテンツ検索・出力システムであって、インターフェース装置データ読み取り手段と、インターフェース装置データ判別手段と、インターフェース装置管理手段と、コンテンツ管理手段と、コンテンツ検索手段と、コンテンツ出力手段と、の全部または一部の手段を備えるインターフェースおよびコンテンツの制御装置を持つことを特徴とするコンテンツ検索・表示システム。
【請求項１５】
請求項１から１４のいずれかに記載のコンテンツ検索・出力システムであって、インターフェース装置データ判別手段とコンテンツ検索手段が、インターフェース装置において、特定の本専用のコンピュータプログラムを備えることにより、インターフェース装置管理手段が不要であることを特徴とするコンテンツ検索・表示システム。
【発明の詳細な説明】
【技術分野】
【０００１】本発明は、コンテンツ検索・表示システムに関し、特に、誰でも簡単に使えるインターフェース装置を備える検索・表示システム、およびインターフェース装置の制御方法並びにコンピュータプログラムに関するものである。
【背景技術】
【０００２】従来、パソコンやゲーム機、携帯電話などの電子機器向けのコンテンツを検索し表示させるには、マウスやキーボードやリモコンやその他のコントローラといった装置を利用者が操作する必要があった。【０００３】上述の操作は煩雑であり、幼い子どもや電子機器の操作に苦手意識を持つ高齢者ならびに電子機器そのものが苦手と思っている人々にとってその操作は難易度の高いものであった。また、それ以外の人々にとっても操作を習熟するのに要する時間が問題になっていた。【０００４】これに対して近年、電子機器向けのコンテンツを表示するインターフェースに、コンテンツデータと関連付けられたバーコードや非接触ＩＣタグ（例えば、特許文献１参照。）を利用する方法や、パソコンの主な操作にキーボードやマウスではなく、バーコードを利用する方法（例えば、特許文献２参照。）、さらには操作が容易な専用装置の発明（例えば、特許文献３参照。）など、簡単にコンテンツを表示できる方法も提供されている。【０００５】しかしながら、上述のコンテンツ検索・表示方法では、確かに検索・表示のための操作の煩雑さを解消することは実現されているが、パソコンやゲーム機、携帯電話などの電子機器自体の操作に関する改良にすぎず、根本的に電子機器を操作することは変わらず、幼い子どもや電子機器の操作に苦手意識を持つ高齢者ならびに電子機器そのものが苦手と思っている人々にとってその操作は変わらず難易度の高いものである。
【特許文献１】特開２００３−３０８２６７
【特許文献２】特開２００５−４５７４
【特許文献３】特開２００３−３４５５０８
【発明の開示】
【発明が解決しようとする課題】
【０００６】本発明は、上述の問題に鑑みてなされたものであり、誰もが気軽にコンテンツを検索し見ることができる方法を実現する。すなわち、利用者が電子機器を意識せずに、かつ煩雑な操作を必要としないコンテンツの検索・表示システムおよび方法を提供することを目的とする。
【課題を解決するための手段】
【０００７】上述した目的を達成するために、本発明の態様は、コンテンツの検索・表示システムにおいて、利用者が日常使っている物そのまま又は類する形態を備えたインターフェース装置と、前記インターフェース装置のデータを読み取るインターフェース装置データ読み取り手段と、読み取ったインターフェース装置データを解析・判別するインターフェース装置データ判別手段と、インターフェース装置の識別情報を記憶し管理するインターフェース装置管理手段と、コンテンツを記憶し管理するコンテンツ管理手段と、前記データ判別手段により判別したデータに基づき、前記コンテンツ管理手段より最適のコンテンツを検索するコンテンツ検索手段と、前記コンテンツ検索手段により検索されたコンテンツを出力するコンテンツ作成出力手段とを設けたものである。
【発明の効果】
【０００８】以上のとおりであるから、本発明にかかるコンテンツの検索・表示システムによれば、あらゆる人々にとって、コンテンツの検索・表示のための煩雑な操作および難易度の高い操作が不要になる。
【発明を実施するための最良の形態】
【０００９】本発明のコンテンツの検索・表示システムにおけるインターフェース装置は、本のように紙などを綴じて複数のページによる形態（以下、本とだけ記述する）を持つ。図１は、本発明の一実施例における外観図であって、インターフェース装置としての本１と、ＩＣタグリーダやパソコンとのデータ通信が可能な通信装置および電源などによって構成されるインターフェースデータ読み取り手段２と、をパソコン３にケーブル４で接続した状態を示すものである。図１におけるパソコンは、ゲーム機または携帯電話などの電子機器に置き換えることも可能である。その場合のコンテンツは、置き換えられた電子機器で使用可能な入力手段を有する機器に映像音声を出力し提供される。
また、ケーブル４は、シリアルケーブルまたはＵＳＢケーブルおよび様々な規格の無線などによって実現される。【００１０】以下、本発明の実施の形態について図２〜図４、を用いて説明する。【００１１】ただし、本発明のコンテンツの検索・表示システムでは、インターフェース装置やコンピュータプログラムはいくつかの形態をとることができるので、（実施の形態１）を主な実施の形態とし、（実施の形態２）から（実施の形態４）では（実施の形態１）とは異なる部分だけを記述する。【００１２】（実施の形態１）
図２における、インターフェース装置１である本は、本発明のコンテンツの検索・表示システムのインターフェース装置であると同時に、一般的な本としての体裁を完全に備えるものである。【００１３】図２における、インターフェース装置１には、表紙と裏表紙をふくむ全てのページごとに、または表紙と裏表紙の両方またはどちらかを除く全てのページごとに、非接触ＩＣタグまたはＩＣカード（以下ＩＣタグとだけ記述する）が埋め込まれている。【００１４】図２における、インターフェース装置１には、本の内容をあらわす識別データ（例えば、タイトルなど）を記録したＩＣタグが埋め込まれていることもある。【００１５】図２における、インターフェース装置データ読み取り手段２は、ＵＳＢやシリアルケーブルまたは赤外線や様々な規格の無線などでパソコンと通信が可能なＩＣタグリーダを含むインターフェース装置データ読み取り装置である。【００１６】図２における、インターフェース装置データ判別手段３は、前記インターフェース装置データ読み取り手段２におけるＩＣタグリーダが読み取ったＩＣタグの枚数またはＩＣタグに記録済みのデータを受信し、受信したデータをインターフェース管理手段４に送信する送信手段を備えたコンピュータプログラムである。【００１７】図３は、インターフェース装置１としての本と、インターフェース装置データ読み取り手段２におけるＩＣタグリーダと、の位置関係を示したものである。【００１８】図３に示す位置関係であれば、インターフェース装置データ読み取り手段２におけるＩＣタグリーダは、インターフェース装置１を閉じた状態でＩＣタグ▲１▼〜ＩＣタグ▲５▼までの全てのＩＣタグを読み取ることができる。【００１９】しかし、図３のようにインターフェース装置１のページを開くと、ＩＣタグ▲１▼は、ＩＣタグリーダの読み取り可能範囲から外れることになる。【００２０】また、上述のインターフェース装置１と、インターフェース装置データ読み取り手段２におけるＩＣタグリーダと、の位置関係を図３とは逆にすることも可能である。【００２１】すなわち、インターフェース装置１を閉じた状態で、ＩＣタグ▲１▼〜ＩＣタグ▲５▼までの全てのＩＣタグを読み取ることができない位置にＩＣタグリーダを位置させることも可能である。【００２２】図３と位置関係を逆にした場合は、インターフェース装置１のページを開くとＩＣタグ▲１▼だけが、ＩＣタグリーダの読み取り可能範囲に入ることになる。【００２３】図２におけるインターフェース装置データ判別手段３は、インターフェース装置１が、内容をあらわす識別データを記録したＩＣタグが埋め込まれている本の場合、この識別データを、インターフェース装置管理手段４に送信する送信手段を備えたコンピュータプログラムである。【００２４】図２におけるインターフェース装置管理手段４は、インターフェース装置１の内容を一意に特定可能な識別データ（例えば、タイトなど）と、インターフェース装置１の総ページ数または各ページに埋め込まれたＩＣタグの総数または全ページのインデックスなどの情報と、で構成されるデータベースを備えている。【００２５】図２におけるインターフェース装置管理手段４は、インターフェース装置データ判別手段３より前述の識別データを受信した場合、インターフェース装置１の総ページ数または各ページに埋め込まれたＩＣタグの総数または全ページのインデックスなどの情報を、インターフェース装置データ判別手段３に送信する送信手段を備えたコンピュータプログラムである。【００２６】図２におけるインターフェース装置データ判別手段３は、前述のインターフェース装置管理手段４から受信した情報と、インターフェース装置データ読み取り手段２であるＩＣタグリーダが読み込んだＩＣタグのデータ（図３参照）によって、インターフェース装置１の開かれているページを特定することができるコンピュータプログラムである。【００２７】コンテンツ管理手段５は、該コンテンツ管理手段が記憶し管理するコンテンツを一意に特定可能な識別情報を設けたデータベースを備えている。【００２８】コンテンツ検索手段６は、前記インターフェース装置データ判別手段３による判別結果、すなわち利用者が選んだインターフェース装置１の内容および開いているページと、前記コンテンツ管理手段５の識別情報に基づき、パソコンに保存されているコンテンツまたはＣＤやＤＶＤなどの記録メディアに保存されているコンテンツ、またはインターネットのサーバーなどに保存されているコンテンツ、などから利用者がインターフェース装置１において開いているページの内容に関連するコンテンツを検索するコンピュータプログラムである。【００２９】コンテンツ出力手段７は、前記コンテンツ検索手段６による検索結果に基づき、パソコンのディスプレイやテレビ、モニターなどの映像音声入力手段を有する機器に出力し該当コンテンツを提供するコンピュータプログラムである。【００３０】以上の本発明の実施の形態１における動作の詳細を示すフローチャートが図４である。【００３１】（実施の形態２）
図２におけるインターフェース装置データ判別手段３とコンテンツ検索手段６を、インターフェース装置１において、特定の本専用のコンピュータプログラムとすることにより、インターフェース装置管理手段４を不要にすることが可能である。【００２８】（実施の形態３）
図２におけるインターフェース装置データ読み取り手段２は、インターフェース装置１を開いた状態で、左側のページに埋め込まれているＩＣタグを読み込むＩＣタグリーダと、右側のページに埋め込まれているＩＣタグを読み込むＩＣタグリーダの、合計２台のＩＣタグリーダが取り付けられているインターフェース装置データ読み取り装置である。【００２９】図２におけるインターフェース装置データ判別手段３は、２台のＩＣタグリーダが読み込んだＩＣタグのデータまたはＩＣタグの枚数を比較することができるコンピュータプログラムである。【００３０】（実施の形態４）
インターフェース装置データ判別手段３と、コンテンツ管理手段４と、コンテンツ検索手段５と、におけるコンピュータプログラムの全部または一部が動作可能である電子機器と、１台または２台のＩＣタグリーダを組み合わせて、インターフェースおよびコンテンツの制御装置とすることも可能である。
【図面の簡単な説明】
【００３１】
【図１】本発明の一実施の形態を示す外観図である。
【図２】本発明の一実施の形態を示す構成図である。
【図３】インターフェース装置とインターフェース装置データ読み取り手段におけるＩＣタグリーダの関係図である。
【図４】本発明の実施の形態１の動作を示すフローチャートである。
【符号の説明】
１  インターフェース装置
２  インターフェース装置データ読み取り手段
３  インターフェース装置データ判別手段
４  インターフェース装置管理手段
５  コンテンツ管理手段
６  コンテンツ検索手段
７  コンテンツ作成出力手段
【図１】
2006338640.tif 000003
【図２】
2006338640.tif 000004
【図３】
2006338640.tif 000005
【図４】
2006338640.tif 000006